(57)【要約】      （修正有）【課題】入力された入力文を構成する主要な語を抽出する。そして、抽出した前記主要な語をそれぞれディジタルデータに対応させてディジタルデータのまとまりを構成する。【解決手段】本発明のデータベース中の処理の対象となる複数のディジタル情報を処理するディジタル情報処理方法は、ディジタル情報の一つに関連して入力された入力文の項構造の各要素に対応した、かつ、前記入力文の主要な語を抽出し、そして、抽出した語をそれぞれ辞書の見出し語と同じ形の語に変形し、一定の順序に並べて、ディジタルデータのまとまりを構成する。【選択図】なし【特許請求の範囲】
【請求項１】
処理をするディジタル情報に関連して入力された入力文を構成する主要な語を抽出し、  そして、抽出した前記主要な語をそれぞれディジタルデータに対応させてディジタルデータのまとまりを構成すること  を特徴とするディジタル情報処理方法。
【請求項２】
前記抽出は、補助的な語を除き、言語の人称変化、数の変化、格変化、時制変化を含む語形変化を解除することによって行うこと  を特徴とする請求項１に記載のディジタル情報処理方法。
【請求項３】
前記ディジタルデータのまとまりを前記処理をするディジタル情報に関連付けてデータベースに記録し、  前記ディジタルデータのまとまり、または、前記入力文に対応する別のディジタルデータを前記処理をするディジタル情報と関係付けないで前記データベースに記録すること  を特徴とする請求項１または２に記載のディジタル情報処理方法。
【請求項４】
データベース中に処理を行うディジタル情報に関連して在り、及び前記処理を行うディジタル情報に関連して入力された第一の入力文を構成する主要な語をディジタルデータに対応させて構成された第一のディジタルデータのまとまりを前記データベースから読み出し、  処理をするための第二のディジタルデータのまとまりを入力し、  前記第一のディジタルデータのまとまりと前記第二のディジタルデータのまとまりとを比較して、行う処理の判断をすること  を特徴とするディジタル情報処理方法。
【請求項６】
前記第二のディジタルデータのまとまりの入力は、処理をするために入力された第二の入力文を構成する主要な語をディジタルデータに対応させて構成してなされること  を特徴とする請求項５に記載のディジタル情報処理方法。
【請求項７】
前記第二のディジタルデータのまとまりの入力は、前記データベースに前記処理を行うディジタル情報処理と関係付けないで在る前記第一のディジタルデータのまとまりと同じ第二のディジタルデータのまとまりを前記データベースから読み出してなされること  を特徴とする請求項５に記載のディジタル情報処理方法。
【請求項８】
前記データベースに前記処理を行うディジタル情報処理と関係付けないで在る前記第一の入力文に対応したディジタルデータを読み出し、  そして、前記第一のの入力文を構成する主要な語に別のディジタルデータをそれぞれ対応させて第二のディジタルデータのまとまりを構成してなされること  を特徴とする請求項５に記載のディジタル情報処理方法。
【請求項９】
ＡＶディジタル情報を処理するためのディジタルデータを記録した媒体において、  処理をするＡＶディジタル情報に関連した関連文の項構造の各要素に対応し、かつ、前記関連文の主要な語を辞書の見出し語と同じ形の語に変形すると共に、一定の順序に並べて構成したディジタルデータのまとまりが、前記処理をするＡＶディジタル情報に関連付けて記録され、  前記ディジタルデータのまとまり、または、前記関連文に対応するディジタルデータを前記処理をするＡＶディジタル情報と関係付けないで記録されたこと  を特徴とするＡＶディジタル情報を処理するためのディジタルデータを記録した媒体。
【発明の詳細な説明】
【技術分野】
【０００１】    本発明は、文の構造を利用した検索等のディジタル情報処理に関する。
【背景技術】
【０００２】  従来、一般の文書、特許等の技術文書を検索するには、名称や要約中のキ−ワ−ドを用いて行っていた。各キ−ワ−ドは、一致することを基本操作とする。複数のキ−ワ−ドを用いる場合、いわゆるＡＮＤ、ＯＲの機能を使う。【０００３】  また、楽曲等の音声情報に関しては、分野別、あるいは、演奏者、作曲者等を使用して、検索を行っていた。映画等の映像情報に関しては，分野別、監督、主演俳優等で検索と行っていた。
【発明の開示】
【発明が解決しようとする課題】
【０００４】  しかし、名詞を中心とするキ−ワ−ドのみで検索をし、その他のディジタル情報処理をする場合、検索等のディジタル情報処理の精度をよくするには、キ−ワ−ドの組合せを工夫する必要がある。【０００５】  また、文の情報が限られている映画、楽曲等に関して、不特定のディジタル情報、大量のディジタル情報からある条件にあった特定のディジタル情報を抽出するための処理用のディジタルデータを構築したり、自分にあったデータベースを構成しりすることは容易ではなかった。また、ディジタル情報処理を行う際、キーワードの組み合わせを工夫するのは、一般ユーザーにとって、対応できるような簡便な方法とはいえない。【０００６】  特に、文や語と直接関係のない音楽、映像、写真などの場合、キーワードの作成やその利用は、一般ユーザーにとって必ずしも使いやすいものとは言えなかった。
【解題を解決するための手段】
【０００７】  一般に、文は、項構造をしており、例えば、英語を例にとると、主に、次のような５種類の項構造をしている。  ▲１▼  主語、動詞、  ▲２▼  主語、動詞、主格補語  ▲３▼  主語、動詞、前記動詞の直接目的語  ▲４▼  主語、動詞、前記動詞の直接目的語、間接目的語  ▲５▼  主語、動詞、前記動詞の直接目的語、補語
【０００８】  また、日本語の場合には、述部に形容詞を単独でとったり、また、ヘブライ語では、名詞文が存在したりする。また、スペイン語では、人称代名詞が主語になる場合、主語が省略されるのが普通である。
【０００９】  しかし、各言語で順序、表現に用いる品詞等が異なっても、文の項構造の各要素に対応した語が、必ず存在する。
【００１０】  本発明は、文の項構造を利用して、文の主要な語を抽出し、文が表す意味に対応するディジタルデータを、文の項構造に対応して構成する。また、構成した本発明のディジタルデータを、検索等のディジタル情報処理に使用する。
【００１１】  本発明の情報処理方法は、処理をするディジタル情報に関連して入力された入力文を構成する主要な語を抽出する。そして、抽出した前記主要な語をそれぞれディジタルデータに対応させてディジタルデータのまとまりを構成することを特徴とする。
【００１２】  また、抽出は、補助的な語を除き、言語の人称変化、数の変化、格変化、時制変化を含む語形変化を解除することによって行ってもよい。
【００１３】  また、前記ディジタルデータのまとまりを前記処理をするディジタル情報に関連付けてデータベースに記録し、
【００１４】  前記ディジタルデータのまとまり、または、前記入力文に対応する別のディジタルデータを前記処理をするディジタル情報と関係付けないで前記データベースに記録すると構成してもよい。
【００１５】  本発明のディジタル情報処理方法は、データベース中に処理を行うディジタル情報に関連して在り、及び前記処理を行うディジタル情報に関連して入力された第一の入力文を構成する主要な語をディジタルデータに対応させて構成された第一のディジタルデータのまとまりを前記データベースから読み出し、処理をするための第二のディジタルデータのまとまりを入力し、前記第一のディジタルデータのまとまりと前記第二のディジタルデータのまとまりとを比較して、行う処理の判断をすることを特徴とする。
【００１６】  また、第二のディジタルデータのまとまりの入力は、処理をするために入力された第二の入力文を構成する主要な語をディジタルデータに対応させて構成して行ってもよい。
【００１７】  また、第二のディジタルデータのまとまりの入力は、前記データベースに前記処理を行うディジタル情報処理と関係付けないで在る前記第一のディジタルデータのまとまりと同じ第二のディジタルデータのまとまりを前記データベースから読み出して行う方法でもよい。
【００１８】  また、データベースに前記処理を行うディジタル情報処理と関係付けないで在る前記第一の入力文に対応したディジタルデータを読み出す。そして、第一のの入力文を構成する主要な語に別のディジタルデータをそれぞれ対応させて第二のディジタルデータのまとまりを構成して行ってもよい。
【００１９】  本発明のＡＶディジタル情報を処理するためのディジタルデータを記録した媒体は、処理をするＡＶディジタル情報に関連した関連文の項構造の各要素に対応し、かつ、前記関連文の主要な語を辞書の見出し語と同じ形の語に変形すると共に、一定の順序に並べて構成したディジタルデータのまとまりが、前記処理をするＡＶディジタル情報に関連付けて記録されており、及び、前記ディジタルデータのまとまり、または、前記関連文に対応するディジタルデータを前記処理をするＡＶディジタル情報と関係付けないで記録されている。
【発明の効果】
【００２０】  本発明においては、各言語で順序、表現に用いる品詞等が異なっても、必ず存在する文の項構造を利用し、また、項構造の各要素に対応した文の主要な語を利用するので、入力文に応じたディジタル情報処理のためのディジタルデータのまとまりが、入力文が表す意味に比較的近い機能をもたらす。したがって、ユーザーが文を入力することによっても、データベースのためのディジタルデータを構成することが可能となる。また、ユーザーフレンドリーな操作が可能となる。また、言語の違いがあっても、辞書の見出し語を利用しているので、語の翻訳が容易となり、適用可能な言語の範囲は比較的広くなる。
【００２１】  また、本発明においては、文の項構造の各要素に対応した文の主要な語を利用して、ディジタル情報処理のための入力文が表す意味に比較的近い機能をもたらすディジタルデータを、検索等のディジタル情報処理に使用するので、比較的精度よくディジタル情報処理を行うことができる。
【００２２】  また、自分にあったデータベースを構成することも比較的容易になる。
【００２３】  本発明のディジタル情報処理方法においては、入力文の主要な語をディジタル情報処理のためのディジタルデータのまとまりとして利用するので、ユーザフレンドリーな操作が可能となる。また、効率的にディジタル情報処理用のディジタルデータのまとまりを作成することができる。
【００２４】  また、主要な語の抽出は、語形変化を解除して行うので、比較的容易な自然言語処理となる。
【００２５】  また、ディジタルデータのまとまり、または、入力文に対応するディジタルデータを処理をするディジタル情報と関係付けないでデータベースに記録するので、ディジタル情報処理を行う際のユーザーの操作の簡便化に役立てることが可能となる。
【００２６】  本発明のディジタル情報処理方法においては、入力文の主要な語をディジタル情報処理に利用するので、ユーザーフレンドリーで、比較的高効率、高精度なものとなる。
【００２７】  また、ディジタル情報処理と関係付けないで記録されたディジタルデータのまとまりを利用するので、ディジタル情報処理を行う際のユーザーの操作を簡便にすることが可能となる。
【００２８】  また、ディジタル情報処理と関係付けないで記録された入力文に対応したディジタルデータをディジタル情報処理を行う際に利用できるので、その際のユーザーの操作を簡便化することが可能となる。
【００２９】  本発明のＡＶディジタル情報を処理するためのディジタルデータを記録した媒体においては、連文の項構造の各要素に対応した、かつ、前記関連文の主要な語を利用しているので、ユーザーフレンドリーなディジタル情報処理に対応することができる。また、辞書の見出し語を利用しているので、適応可能な言語が比較的広く、簡便なものとなる。及び、前記ディジタルデータのまとまり、または、前記関連文に対応するディジタルデータが、前記処理をするＡＶディジタル情報と関係付けないで記録されているので、ユーザーの操作を簡便化が可能となる。また、ユーザーの操作が簡便なことから、限られた操作状況における携帯機器への使用に適している。
【発明を実施するための最良の形態】
【００３０】  図１は、第一の実施の形態を示すフロ−チャ−トである。【００３１】  図２は、子供が運動会の徒競走で、ゴ−ルした時の写真を模式的に表した図である。【００３２】  図２の写真を入力すると共に、記録する（Ｓ１）。写真はスキャナーで読み取ってもよいし、ディジタルカメラ等からであれば、直接ディジタル情報として入力して記録する。【００３３】  この際、短い文章も入力する。例えば、次のような文章である。    「子供が運動会の徒競走で２等賞をとる。」    「私はうれしかった。」【００３４】  まず、入力されたされた第一の文章（第一の入力文と記す。）と、第二の文章（第二の入力文と記す。）をディジタルデータとして、一時記録する（Ｓ２）。【００３５】  次に、文の項構造の各要素に分解すると共に、出現順序にならべ、文の補助的な語である助詞を除く（Ｓ３）。文の主要な語が残り、第一の入力文は、次のような一塊の語のまとまりに変形される。Ｓ３の処理は、ディジタルデータとして処理される。      ｛子供、運動会、徒競走、２等賞、とる｝【００３６】  そして、各語を国語辞典のような一般に使用される辞書（以下、単に辞書と記す。）の見出し語と同じ形に変換する（Ｓ４）。つまり、文の項構造の各要素の語に対応するデータを辞書の見出し語に対応するデータに変える。すると、この場合は、各語は同じ形で、第一の入力文は、さらに次のようなまとまりに変形される。      ｛子供、運動会、徒競走、２等賞、とる｝【００３７】  そして、これらの語のデータの順序を入れ替える（Ｓ５）。順序は、主語、述語、直接目的語、間接目的語、場所、時、状況補語、その他の副詞の順とする。第一の入力文は、次のようなまとまりに変形される。文の項構造の要素に対応する語がない場合は、対応する所に何も語のデータを入れない。      ｛子供、とる、２等賞、、場所、、徒競走、、｝【００３８】  このようにして、第一の入力文に対応する第一の処理用デ−タを作成する。  順序は、他の順序でもよい。例えば、名詞と、他の語を分けるようにしてもよい。この場合、主語、直接目的語、間接目的語、時、場所、時、状況補語、その他の副詞、述語の順とする。【００３９】  また、徒競走の修飾語である運動会を徒競走の類議語とし、かつ、徒競走を運動会の類義語として、シソ−ラスデ−タを作成する（Ｓ６）。【００４０】  次に、第二の文章（第二の入力文と記す。）を同じように処理し、第二の処理用デ−タを作成する。【００４１】  文の項構造の各要素に分解すると共に、出現順序にならべ、文の補助的な語である助詞を除くと（Ｓ３）、次のようなまとまりになる。（Ｓ３はディジタルデータとして処理される。）      ｛私、うれしかった｝【００４２】  そして、各語を辞書の見出し語と同じ形に変換する（Ｓ４）。過去時制を現在時制に変形する。語形変化を解除する。つまり、文の項構造の各要素の語に対応するデータを辞書の見出し語に対応するデータに変える。次のようなまとまりになる。      ｛私、うれしい｝【００４３】  そして、順序を変えると（Ｓ５）、次のようなまとまりになる。      ｛私、うれしい、、、、、、、｝【００４４】  入力された入力文の全てを処理用データに変換していない場合（Ｔ１）、上述した文の項��造の各要素への分解、出現順序にへの並び替え、文の補助的な語である助詞の除去の手順（Ｓ３）へ戻る。以下、残りの入力文を上述した手順で、処理用データに変換する。入力された入力文がすべて処理用データに変換された場合（Ｔ１）、作成された第一の処理用デ−タ、第二の処理用デ−タをデ−タベ−スの中に、写真と関連付けて記録する（Ｓ７）。【００４５】  これらの第一の処理用デ−タ、第二の処理用デ−タを写真の情報処理、例えば、検索の際に使用することができる。また、処理のために文章を入力するので、比較的やさしく検索等の処理のためのデ−タを作成することができる。したがって、比較的高効率で検索等の処理のためのをデ−タを作成することができる。比較的ユーザーフレンドリーな処理になる。【００４６】  図３は、第二の実施の形態を示すフロ−チャ−トである。【００４７】  このフロ−チャ−トは、写真を検索する方法である。入力文から処理用デ−タを作成する手順は第一の実施の形態と同様である。【００４８】  例えば、第一の実施の形態の写真と第一の処理用デ−タ、第二の処理用デ−タが記録されているデ−タベ−スから、第一の実施の形態の写真を検索する。【００４９】  まず、検索に使用する第三の文章を入力する。例えば、    「子供が運動会の徒競走で２等賞をとった。」を入力する。【００５０】  まず、第一の実施の形態と同様に、入力されたされた第三の文章（第三の入力文と記す）をディジタルデ−タとして一時記録する（Ｓ２）。【００５１】  次に、文の項構造の各要素に分解すると共に、出現順序にならべ、文の補助的な語である助詞を除く（Ｓ３）と、次のようなまとまりになる。（Ｓ３はディジタルデータとして処理される。）      ｛子供、運動会、徒競走、２等賞、とった｝【００５２】  そして、各語を辞書の見出し語と同じ形に変換する（Ｓ４）。過去時制を現在時制に変換すると、次のようなまとまりになる。、（文の項構造の各要素の語に対応するデータを辞書の見出し語に対応するデータに変える。）      ｛子供、運動会、徒競走、２等賞、とる｝【００５３】  そして、順序を入れ替える（Ｓ５）。順序は、原則として、デ−タベ−スのデ−タの順序と同じにする。つまり、この場合は、第一の実施の形態と同じ、主語、述語、直接目的語、間接目的語、場所、時、状況補語、その他の副詞の順となる。すると、第三の入力文に対応する第三の処理用デ−タは次のようになる。第一の実施の形態と同じように、文の項構造の各要素に対応する語がない場合は、対応する所に何も語を入れない。      ｛子供、とる、２等賞、、場所、、徒競走、、｝【００５４】  このようにして、第三の文章に対応する第三の処理用デ−タを作成する。  デ−タベ−スから処理用デ−タを呼び出す（Ｓ８）。つまり、第一の処理用データと第二の処理用データを呼び出す。【００５５】  呼び出した第一の処理用デ−タを、第三の処理用デ−タと、文の項構造の要素に対応する語ごとに、一致するが否かを調べる（Ｔ２）。一致していれば、カウントし（Ｓ９）、一致していなければカウントしない（Ｓ１０）。【００５６】  全ての要素、この場合は８個の要素全てについて調べていない場合（Ｔ３）、上述したＴ２の判断にもどる。すべての要素、こ��場合は８個の要素全てについて調べた場合（Ｔ３）、すべての要素が一致しているかどうか調べる（Ｔ４）。全ての要素が一致していれば、第一の実施の形態の写真を、ヒットしたとして抽出する（Ｓ１１）。本実施の形態の場合、後述する手順Ｔ４に進む。【００５７】  仮に、全ての要素が一致した場合以外の場合には、次に読み込んである第二の処理用データについて、上述した手順Ｔ２にもどり、同様の処理を行う。全ての処理用データについて手順Ｔ２からＴ４、あるいは、手順Ｔ２からＳ１１までの処理を行う。【００５８】  すべての処理用デ−タについて、調べ終わった場合（Ｔ５）、処理を終了する。【００５９】  本実施の形態では、写真は、データベース中に１枚あったが、複数枚の写真がデータベース中に存在する場合は、すべての写真について調べ終わった場合に、検索は終了する（Ｔ６）。【００６０】  また、本実施の形態の場合はシソーラスを使用する必要はなかったが、場合に応じて、シソ−ラスから、徒競走の類義語である運動会、運動会の類議語である徒競走を参照し、一致か否かを判断してもよい。【００６１】  本実施の形態では、項構造の各要素が全て一致した場合に、一致したと判断し、処理をしたが、１つの要素の不一致までは許容し、一致したと判断し、処理を行っても良い。あるいは、主語と述語が一致していれば、候補として表示し、ユーザーが選択可能な処理にしてもよい。【００６２】  本実施の形態では、文章を一度に一つした入力しなかったが、一度に複数の文章を入力してもよい。この場合、手順４において、複数の文に対応する処理用データのそれぞれの一致が全てＡＮＤで一致した場合に、一致したと判断して処理してもよい。あるいは、複数の文に対応する処理用データのそれぞれの一致が全てＯＲの場合に、一致したとして処理しても良い。【００６３】  また、さらに文章を入力して、さらに絞りこみ用の検索の処理に使用することもできる。例えば、さらに、第一の実施の形態の第二の入力文のような「私はうれしかった。」を第四の文章として、入力する。上述した手順と同様に、次に示すように、第四の入力文に対応する第四の処理用デ−タが作成される。【００６４】  まず、第四の文章を一時記録する（Ｓ２）。【００６５】  次に、助詞を除くと（Ｓ３）、      ｛私、うれしかった。｝となる。【００６６】  そして、辞書と同じ形に変換すると（Ｓ４）、      ｛私、うれしい｝となる。【００６７】  そして、順序を変えると（Ｓ５）、      ｛私、うれしい、、、、、、、｝となり、第四の処理用デ−タが作成される。文項上述した手順（Ｔ２、Ｓ９、Ｓ１０、Ｔ３、Ｔ４、Ｓ１１、Ｔ５、Ｔ６）と同様に処理することができる。【００６８】  本実施の形態においては、文章を入力して、写真等の情報処理、例えば検索を比較的容易に実行することができる。また、処理のために文章を入力するので、比較的やさしく検索等の処理を実行するができる。したがって、比較的高効率、短時間で検索等の処理をすることができる。【００６９】  第三の実施の形態を説明する。【００７０】  また、第一の実施の形態において、第一、第二の処理用デ−タを作成した際、第二の実施の形態の検索のための入力文に対応した処理用デ−タとして使用す���目的で、上述した写真と関連づけずに、記録しておいてもよい。（この写真と関連づけずに記録された第一の処理用デ−タを第一の選択処理用デ−タ、第二の処理用デ−タを第二の選択処理用デ−タと記す。）【００７１】  その際、第二の実施の形態において、文を入力して記録し（Ｓ１）、処理用デ−タを作成する手順（Ｓ２、Ｓ３、Ｓ４、Ｓ５）の代わりに、まず、第一の選択処理用デ−タ、第二の選択処理用デ−タを読み出す。そして、第一の選択処理用デ−タ、第二の選択処理用デ−タから検索に使用するものをユ−ザ−が選択し、第三の処理用デ−タとして、使用する。例えば、第一の選択用デ−タを選択し、第三の選択用デ−タとして使用すると、第三の実施の形態は、第二の実施の形態と似た形態になる。第三の実施の形態は、第二の実施の形態と違い、デ−タを作成したときの第一の入力文（「こともが運動会の徒競走で２等賞をとる」）と、検索の時の入力文、すなわち、第三の入力文「こどもが運動会で２等賞をとる」とが完全に一致する。したがって、シソーラスを使用しない。【００７２】  第三の実施の形態は、シソ−ラスを使用せずに精度の高い検索等の処理を行うことができる。また、文章を入力する回数が減り、デ−タの選択のみという比較的ユ−ザ−フレンドリ−な操作になる。シソーラスを使用しないので、処理が簡単になり、処理時間は比較的短い。【００７３】  第一の選択処理用デ−タ、第二の選択処理用デ−タを選択する際、第一の選択処理用デ−タを入れ替え、適当な助詞を付けて示してもよい。つまり、上述した手順Ｓ３、Ｓ４、Ｓ５の逆の処理を行う。【００７４】  また、第一の選択処理用デ−タ、第二の選択処理用デ−タの代わりに、第一の入力文、第二の入力文をディジタルデ−タとして、上述した写真と関連づけずに記録しておいてもよい。この場合、文章を入力することは省略できるが、選択処理用デ−タから処理用データを作成する手順（Ｓ３、Ｓ４、Ｓ５等）を省略することはできない。この場合、自然な文の形の第一の入力文、第二の入力文から、ユーザーが、処理のための文を選択することができる。【００７５】  第一の実施の形態、第二の実施の形態、または、第三の実施の形態と、分野別の整理と併用してもよい。この場合、より写真等を整理しやくなり、ユ−ザ−フレンドリ−になる。第一の実施の形態、第二の実施の形態、および、第三の実施の形態は、写真を例にとったが、写真に限らず、絵や、数値デ−タ、表デ−タ、映像デ−タ、音声デ−タ等の文章と直接関連のないディジタルデ−タ、および文章と直接関連するディジタルデ−タに利用してもよい。この場合、検索がしにくいディジタルデ−タであっても、比較的容易に、比較的高効率に、よりユ−ザ−フレンドリ−な処理、例えば、検索が可能になる。【００７６】  上述した発明を整理すると次のようになる。【００７７】  一般に、文は、項構造をしており、例えば、英語を例にとると、主に、次のような５種類の項構造をしている。  ▲６▼  主語、動詞、  ▲７▼  主語、動詞、主格補語  ▲８▼  主語、動詞、前記動詞の直接目的語  ▲９▼  主語、動詞、前記動詞の直接目的語、間接目的語  ▲１０▼  主語、動詞、前記動詞の直接目的語、補語【００７８】  また、日本語の場合���は、述部に形容詞を単独でとったり、また、ヘブライ語では、名詞文が存在したりする。また、スペイン語では、人称代名詞が主語になる場合、主語が省略されるのが普通である。【００７９】  しかし、各言語で順序、表現に用いる品詞等が異なっても、文の項構造の各要素に対応した語が、必ず存在する。【００８０】  本発明は、文の項構造を利用して、文の主要な語を抽出し、文が表す意味に対応するディジタルデータを、文の項構造に対応して構成する。また、構成した本発明のディジタルデータを、検索等のディジタル情報処理に使用する。【００８１】  本発明においては、各言語で順序、表現に用いる品詞等が異なっても、必ず存在する文の項構造を利用し、また、項構造の各要素に対応した文の主要な語を利用するので、入力文に応じたディジタル情報処理のためのディジタルデータのまとまりが、入力文が表す意味に比較的近い機能をもたらす。したがって、ユーザーが文を入力することによっても、データベースのためのディジタルデータを構成することが可能となる。また、ユーザーフレンドリーな操作が可能となる。また、言語の違いがあっても、辞書の見出し語を利用しているので、語の翻訳が容易となり、適用範囲は比較的広くなる。【００８２】  また、本発明においては、文の項構造の各要素に対応した文の主要な語を利用して、ディジタル情報処理のための入力文が表す意味に比較的近い機能をもたらすディジタルデータを、検索等のディジタル情報処理に使用するので、比較的精度よくディジタル情報処理を行うことができる。【００８３】  また、自分にあったデータベースを構成することも比較的容易になる。  本発明のディジタル情報処理方法は、処理をする前記ディジタル情報の一つに関連して入力された入力文の項構造の各要素に対応した、かつ、前記入力文の主要な語を抽出する。そして、前記抽出した語をそれぞれ辞書の見出し語と同じ形の語に変形し、一定の順序に並べて、ディジタルデータのまとまりを構成されている。【００８４】  上述のディジタル情報処理方法においては、入力文の項構造の各要素に対応し、かつ、前記入力文の主要な語をディジタル情報処理のためのディジタルデータのまとまりとして利用するので、ユーザフレンドリーな操作が可能となる。また、効率的にディジタル情報処理用のディジタルデータのまとまりを作成することができる。辞書の見出し語を利用しているので、適用可能な言語の範囲は比較的広い。【００８５】  本発明のデータベース中の処理の対象となる複数のディジタル情報を処理するディジタル情報処理は、処理をする前記ディジタル情報の一つに関連して入力された入力文の項構造の各要素に対応した、かつ、前記入力文の主要な語を抽出する。そして、前記抽出した語をそれぞれ辞書の見出し語と同じ形の語に変形し、一定の順序に並べて、ディジタルデータのまとまりを構成し、前記処理をするディジタル情報に関連付けてデータベースに記録し、前記ディジタルデータのまとまり、または、前記入力文に対応するディジタルデータを前記処理をするディジタル情報と関係付けないで前記データベースに記録する。【００８６】  上述のディジタル情報処理方法においては、入力文の項構造の各要素に対応した、かつ、���記入力文の主要な語をディジタル情報処理のためのディジタルデータのまとまりとして利用するので、ユーザーフレンドリーな操作が可能となる。辞書の見出し語を利用しているので、比較的広い言語にも対応可能である。また、前記ディジタルデータのまとまり、または、前記入力文に対応するディジタルデータを処理をするディジタル情報と関係付けないでデータベースに記録するので、ディジタル情報処理を行う際のユーザーの操作の簡便化に役立てることが可能となる。【００８７】  本発明のディジタル情報処理方法は、データベース中にあり、及び処理を行う前記ディジタル情報の一つに関連して入力された第一の入力文の項構造の各要素に対応し、かつ、前記第一の入力文の主要な語にそれぞれ対応した辞書の見出し語と同じ形の語を一定の順序に並べて構成された第一のディジタルデータのまとまりを前記データベースから読み出す。処理をするために入力された第二の入力文の項構造の各要素に対応し、かつ、前記第二の入力文の主要な語にそれぞれ対応した辞書の見出し語と同じ形の語を一定の順序に並べて構成された第二のディジタルデータのまとまりを構成する。前記第一のディジタルデータのまとまりと前記第二のディジタルデータのまとまりとを文の項構造の各要素ごとに比較して、行う処理の判断をする。【００８８】  上述のディジタル情報処理方法においては、入力文の項構造の各要素に対応し、かつ、入力文の主要な語をディジタル情報処理に利用するので、ユーザーフレンドリーで、比較的高効率、高精度なものとなる。また、辞書の見出し語を利用しているので、適応可能な言語の範囲は比較的広い。【００８９】  本発明のデータベース中の処理対象となる複数のディジタル情報を処理するディジタル情報処理方法は、データベース中に処理を行う前記ディジタル情報と関係付けて記録され、及び、前記処理を行うディジタル情報の一つに関連して入力された第一の入力文の項構造の各要素に対応して、かつ、前記第一の入力文の主要な語にそれぞれ対応した辞書の見出し語と同じ形の語を一定の順序に並べて構成された第一のディジタルデータのまとまりを前記データベースから読み出す。前記データベースに前記処理を行う前記ディジタル情報処理と関係付けないで記録された前記第一のディジタルデータのまとまりと同じ第二のディジタルデータのまとまりを前記データベースから読み出す。前記第二のディジタルデータのまとまりと前記第一のディジタルデータのまとまりとを、文の項構造の各要素ごとに比較して、行う処理の判断をする。【００９０】  上述のディジタル情報処理方法は、入力文の項構造の各要素に対応してた、かつ、入力文の主要な語を利用しているので、ユーザーフレンドリーで、比較的高校率、高精度なディジタル情報処理が可能となる。辞書の見出し語を利用しているので、適用可能な言語の範囲が比較的広い。ディジタル情報処理と関係付けないで記録されたディジタルデータのまとまりを利用するので、ディジタル情報処理を行う際のユーザーの操作を簡便にすることが可能となる。【００９１】  本発明のディジタル情報処理方法は、データベース中に処理を行う前記ディジタル情報と関係付けて記録され、及び、前記処理を行うディジタル情報の一つに関連して入力された第一の入力文の項構造の各要素に対応して、かつ、前記第一の入力文の主要な語にそれぞれ対応した辞書の見出し語と同じ形の語を一定の順序に並べて構成された第一のディジタルデータのまとまりを前記データベースから読み出す。前記データベースに前記処理を行う前記ディジタル情報処理と関係付けないで記録された前記第一の入力文に対応したディジタルデータを読み出す。前記第一のの入力文の項構造の各要素に対応し、かつ、前記第二の入力文の主要な語にそれぞれ対応した辞書の見出し語と同じ形の語を一定の順序に並べて構成された第二のディジタルデータのまとまりを前記ディジタルデータから作成し、前記第一ののディジタルデータのまとまりと前記第二のディジタルデータのまとまりとを、文の項構造の各要素ごとに比較して、行う処理の判断をする。【００９２】  上述のディジタル情報処理方法は、入力文の項構造の各要素に対応して、かつ、入力文の主要な語を利用しているので、ユーザーフレンドリーで、比較的高校率、高精度なディジタル情報処理が可能となる。辞書の見出し語を利用しているので、適用可能な言語の範囲が比較的広い。ディジタル情報処理と関係付けないで記録された入力文に対応したディジタルデータをディジタル情報処理を行う際に利用できるので、その際のユーザーの操作を簡便化することが可能となる。【００９３】  本発明のＡＶディジタル情報を処理するためのディジタルデータを記録した媒体は、処理をするＡＶディジタル情報に関連した関連文の項構造の各要素に対応し、かつ、前記関連文の主要な語を辞書の見出し語と同じ形の語に変形すると共に、一定の順序に並べて構成したディジタルデータのまとまりが、前記処理をするＡＶディジタル情報に関連付けて記録されており、及び、前記ディジタルデータのまとまり、または、前記関連文に対応するディジタルデータを前記処理をするＡＶディジタル情報と関係付けないで記録されている。【００９４】  上述のＡＶディジタル情報を処理するためのディジタルデータを記録した媒体においては、連文の項構造の各要素に対応した、かつ、前記関連文の主要な語を利用しているので、ユーザーフレンドリーなディジタル情報処理に対応することができる。また、辞書の見出し語を利用しているので、適応可能な言語が比較的広く、簡便なものとなる。及び、前記ディジタルデータのまとまり、または、前記関連文に対応するディジタルデータが、前記処理をするＡＶディジタル情報と関係付けないで記録されているので、ユーザーの操作を簡便化が可能となる。また、ユーザーの操作が簡便なことから、限られた操作状況における携帯機器への使用に適している。
【産業上の利用可能性】
【００９５】  本発明は、日本語で説明したが、他の言語にも適用できる。例えば、英語等であれば、使用されている国が多いので、利用価値は高い。【００９６】  本発明は、ディジタル情報として番組の説明が付加された状態で順次送られてくる音声や映像の番組から、番組を選択し、ハードディスクやＶＴＲに自動録画をするの際にも適用できる。【００９７】
【図面の簡単な説明】
【図１】第一の実施の形態を説明するためのフローチャート。
【図２】第一の実施の形態を説明するための模式図。
【図３】第二の実施の形態を説明するためのフローチャート。
【符号の説明】
Ｓ１    写真を入力すると共に、記録する。  Ｓ２    入力文をディジタルデータとして、一時記録する。  Ｓ３    文の項構造の各要素に分解すると共に、出現順序にならべ、文の補助的な語である助詞を除く。  Ｓ４    文の項構造の各要素の語を辞書の見出し語と同じ形に変換する。  Ｓ５    文の項構造の各要素の語に対応したデータの順序を入れ替える。
【手続補正書】
【提出日】平成16年11月11日(2004.11.11)
【手続補正２】
【補正対象書類名】明細書
【補正対象項目名】００３０
【補正方法】変更
【補正の内容】
【００３０】  第一の実施の形態を説明する。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】変更
【補正の内容】
【００３２】  写真を入力すると共に、記録する（Ｓ１）。写真はスキャナーで読み取ってもよいし、ディジタルカメラ等からであれば、直接ディジタル情報として入力して記録する。
【手続補正５】
【補正対象書類名】明細書
【補正対象項目名】００４６
【補正方法】変更
【補正の内容】
【００４６】  第二の実施の形態を説明する。
【手続補正６】
【補正対象書類名】明細書
【補正対象項目名】００４７
【補正方法】変更
【補正の内容】
【００４７】  本実施の形態は、写真を検索する方法である。入力文から処理用デ−タを作成する手順は第一の実施の形態と同様である。
【手続補正７】
【補正対象書類名】明細書
【補正対象項目名】００９７
【補正方法】削除
【補正の内容】